(57)【要約】【課題】確変時に興趣が低下することを防ぐことができる大入賞扉構造を備えた遊技機を提供する。【解決手段】遊技盤ベース７に種々の遊技部材を設けて構成された遊技盤６を備え、前記遊技部材には、遊技球を受け入れ易い開状態と遊技球を受け入れ難い閉状態に可変可能な大入賞扉１１０と、その大入賞扉１１０の周辺領域を覆うカバー部材１１２と、遊技盤ベース７の裏側領域に備えられ、大入賞扉１１０の開状態時に入賞した遊技球を誘導するとともに大入賞扉１１０を駆動する駆動機構を収納するリアボックス１１３とで構成されている大入賞装置１１を含む遊技機において、前記大入賞扉１１０とカバー部材１１２及び前記遊技盤ベース７を透明部材で形成した。【選択図】図６
2008183068.tif 000002
【特許請求の範囲】
【請求項１】
遊技盤ベースに種々の遊技部材を設けて構成された遊技盤を備え、
前記遊技部材には、遊技球を受け入れ易い開状態と遊技球を受け入れ難い閉状態に可変可能な大入賞扉と、その大入賞扉の周辺領域を覆うカバー部材と、遊技盤ベースの裏側領域に備えられ、大入賞扉の開状態時に入賞した遊技球を誘導するとともに大入賞扉を駆動する駆動機構を収納する後方部材とで構成されている大入賞装置を含む遊技機において、
前記大入賞扉とカバー部材及び前記遊技盤ベースを透明部材で形成したことを特徴とする遊技機。
【請求項２】
後方部材の全域若しくは所定領域を透明部材で形成したことを特徴とする請求項１に記載の遊技機。
【請求項３】
後方部材に発光装置を備え、
前記後方部材の少なくとも一部には、前記発光装置からの光を拡散可能な拡散構造が施されていることを特徴とする請求項２に記載の遊技機。
【請求項４】
拡散構造は、大入賞扉が開状態になった際の開領域と対応する後方部材の所定位置に施されていることを特徴とする請求項３に記載の遊技機。
【請求項５】
拡散構造は発光装置からの光を拡散可能に形成されている凹凸加工部であることを特徴とする請求項３又は４に記載の遊技機。
【請求項６】
後方部材は、大入賞装置に入賞した遊技球を所定方向へと誘導する誘導部材と、
前記誘導部材の後方に配され、駆動機構を取付け可能な取付部材とを含み、
発光装置は、前記取付部材の後方に備えられていることを特徴とする請求項３乃至５のいずれかに記載の遊技機。
【発明の詳細な説明】
【技術分野】
【０００１】
本発明は、弾球遊技機（パチンコ機）、詳しくは、遊技盤の遊技領域に打ち出された遊技球が所定の入賞装置に入賞して大当り遊技状態に移行したときに、大入賞扉（アタッカ扉ともいう。）が開閉作動する大入賞装置を備えた弾球遊技機に関する。
【背景技術】
【０００２】
弾球遊技機（いわゆるパチンコ機）は、例えば、遊技球を遊技盤の遊技領域に打ち出すことにより、該遊技領域に備えた多数の遊技釘や風車などの遊技部材により遊技球が転動しつつ流下し、所定の入賞装置（始動入賞装置）への遊技球の入賞を契機に、大当り判定手段によって遊技者にとって有利な大当り遊技状態に移行させるか否かの抽選を行ない、大当り遊技状態に移行した際に、大入賞扉が所定ラウンド開閉作動する大入賞装置を備えている。
また、遊技機には、大当り遊技状態が終了した後、大当り遊技状態に当選する確率が変動（上昇）する、いわゆる確変遊技状態に移行するものがある。さらに、この確変遊技状態中に、出玉がほとんど得られない大当たりを経由して突入する確変、いわゆる特定確変当たり（突然確変ともいう。）に当選する遊技機もある。この特定確変当たりは、通常の大当たりと異なり、大当たりが発生したことによる出球を得られないため、大当たりを経由せずに遊技状態のみが移行したように遊技者に認識させる当たりである。
このような特定確変当たりに当選した際の遊技状態に応じて、特定確変当たりに対応した演出を行うか、外れに対応した演出を行うかを決めることとしている特許文献１に開示の遊技機が存在する。
【特許文献１】特開２００６−３０４８７０号公報
【発明の開示】
【発明が解決しようとする課題】
【０００３】
従来の遊技機は、確変遊技状態で特定確変当たりを引いたとしても、遊技者が得られる利益はなく、いわゆる「当たりの引き損」のような感を与えてしまい、遊技の興趣を低下させてしまうことから、確変遊技状態で特定確変当たりを引いた場合であっても、当たった旨を報知せず（当たりの演出をしない）、外れの演出を行うものである。
ところで、遊技機検定上の規則には、遊技状態の移行は、大当りの終了後、つまり大入賞装置の大入賞扉が所定時間開放し、閉鎖した後でなければ行ってはいけないと定められている。従って、遊技機はこの規則に沿って作られているので、確変遊技状態で特定確変当たりを引いたときは、遊技状態の移行となり、大入賞装置の大入賞扉を開閉作動させることとなる。このような規則下にあっては、従来の遊技機のように、確変遊技状態で特定確変当たりを引いた場合に、たとえ表示上外れの演出を行っていたとしても、大入賞装置の大入賞扉が開閉作動するため、特定確変当たり時の大入賞扉の開放が遊技者に察知されれば、何らかのあたりに当選したということが遊技者にわかってしまうことがある。
すなわち、従来のように表示上外れの演出を行うだけでは、特定確変当たりに当選したことが遊技者にわかってしまうことがあり、「当たりの引き損」感を与え、遊技の興趣を低下してしまうという問題を十分に解決し得ていたものではなかった。
【０００４】
本発明は、このような問題を解決するためになされており、その目的とするところは、確変時に興趣が低下することを防ぐことができる大入賞扉構造を備えた遊技機を提供することである。
【課題を解決するための手段】
【０００５】
このような目的を達成するために、第１の発明は、遊技盤ベース７に種々の遊技部材を設けて構成された遊技盤６を備え、
前記遊技部材には、遊技球を受け入れ易い開状態と遊技球を受け入れ難い閉状態に可変可能な大入賞扉１１０と、その大入賞扉１１０の周辺領域を覆うカバー部材１１２と、遊技盤ベース７の裏側領域に備えられ、大入賞扉１１０の開状態時に入賞した遊技球を誘導するとともに大入賞扉１１０を駆動する駆動機構を収納する後方部材（リアボックス）１１３とで構成されている大入賞装置１１を含む遊技機において、
前記大入賞扉１１０とカバー部材１１２及び前記遊技盤ベース７を透明部材で形成したことを特徴とする遊技機としたことである。
【０００６】
本発明によれば、大入賞扉１１０とカバー部材１１２及び前記遊技盤ベース７を透明部材で形成したため、大入賞扉１１０の開閉状態の動きが遊技者に察知され難い。従って、特定確変当たり（突然確変）に当選しても、そのことが大入賞装置１１の大入賞扉１１０の開放から察知され難くなり、いわゆる「当たりの引き損」のような感を遊技者に与えることが少なくなる。
【０００７】
第２の発明は、第１の発明において、後方部材（リアボックス）１１３を透明部材で形成したことを特徴とする遊技機としたことである。
【０００８】
本発明によれば、遊技盤６の前方の常に視認される部材（大入賞扉１１０及びカバー部材１１２）だけでなく、大入賞扉１１０の開放時にしか視認されない後方領域の部材である後方部材（リアボックス）１１３までをも透明部材で形成したため、大入賞扉１１０が開放状態になっても視認される遊技盤前後方向の部材の色彩が変化しないので、大入賞装置１１の開放が遊技者からさらに察知され難くなる。
【０００９】
第３の発明は、第２の発明において、後方部材（リアボックス）１１３に発光装置（例えばＬＥＤ基板）１２０を備え、
前記後方部材（リアボックス）１１３の少なくとも一部には、前記発光装置１２０からの光を拡散可能な拡散構造１２１が施されていることを特徴とする遊技機としたことである。
【００１０】
本発明によれば、発光装置１２０から発せられる光により、透明部材で形成された大入賞装置１１全体が滲んで見えるようになるとともに、後方部材１１３には発光装置１２０からの光を拡散させることの可能な拡散構造１２１を備えたため、発光装置１２０から発せられる光が拡散構造１２１により拡散されて装飾効果が高まるため、さらに大入賞装置１１の開放は遊技者に察知され難くなる。
【００１１】
第４の発明は、第３の発明において、拡散構造１２１は、大入賞扉１１０が開状態になった際の開領域と対応する後方部材１１３の所定位置に施されていることを特徴とする遊技機としたことである。
【００１２】
本発明によれば、後方部材１１３に施される拡散構造１２１が大入賞扉１１０の開領域と一致することとなるので、発光効果により大入賞扉１１０の開放が遊技者に察知され難くなる。
【００１３】
第５の発明は、第３又は第４の発明において、拡散構造１２１は発光装置１２０からの光を拡散可能に形成されている凹凸加工部（ダイヤカット面）１２１ａであることを特徴とする遊技機としたことである。
【００１４】
本発明によれば、拡散構造として、たとえばダイヤカット面１２１ａなどの光の拡散効果が高い凹凸部構造を採用しているため、より多くの光の拡散により大入賞扉１１０の開放が遊技者に察知され難くなる。
【００１５】
第６の発明は、第３乃至第５のいずれかの発明において、後方部材１１３は、大入賞装置１１に入賞した遊技球を所定方向へと誘導する誘導部材（シーソ１１４など）と、
前記誘導部材（シーソ１１４など）の後方に配され、駆動機構（大入賞口ソレノイド１１７など）を取付け可能な取付部材１１６とを含み、
発光装置１２０は、前記取付部材１１６の後方に備えられていることを特徴とする遊技機としたことである。
【００１６】
本発明によれば、発光装置１２０から遊技盤前方に設けられた大入賞扉１１０、カバー部材１１２までの距離が長くなるため、より一層、発光装置１２０からの光が拡散して装飾効果が高まるため、大入賞扉１１０の開放が遊技者に察知され難くなる。
【発明の効果】
【００１７】
本発明によれば、大入賞装置の大入賞扉の開閉作動を遊技者に察知され難い構造を備えた遊技機を提供できるため、特定確変当たりに当選したことをわかり難くして遊技の興趣の低下を防止することが可能となる。
【発明を実施するための最良の形態】
【００１８】
本発明の遊技機の一実施形態について説明する。なお、本実施形態は本発明遊技機の一例にすぎずなんらこれに限定解釈されるものではなく、本発明の範囲内で設計変更可能である。すなわち、本発明は、大入賞装置の大入賞扉の開閉作動を遊技者に察知され難い構造を備え、特定確変当たりに当選したことをわかり難くし得るものであれば本発明の範囲内であり、本実施例では、本発明遊技機の一例として、図に示す形態の弾球遊技機を挙げて説明するが、その他の形態を有する弾球遊技機、あるいは封入球式遊技機なども対象である。以下、本発明遊技機の基本的構成の一実施形態とともに、本発明特有の構成の一実施形態について説明する。
【実施例１】
【００１９】
図１は弾球遊技機の一例を示す概略斜視図、図２は種々の遊技部材を備えた遊技盤の概略正面図、図３は遊技盤の概略斜視図、図４は遊技盤の概略背面図、図５（ａ）は大入賞装置の概略正面図、（ｂ）は概略背面図、図６（ａ）は大入賞装置の概略斜視図、（ｂ）は概略平面図、図７（ａ）は正面方向から見た概略分解斜視図、（ｂ）は背面方向から見た概略分解斜視図、図８は取付部材の概略背面図である。
【００２０】
弾球遊技機は、遊技場の島設備に配設される本体枠１を含み、該本体枠１に遊技盤６が装着されている。
遊技盤６は、図２乃至図４に示すように、透光性部材からなる遊技盤ベース７に、後述する種々の遊技部材を備えて遊技球転動領域Ａを構成する。
そして、遊技盤６の背面側には、所定の可変表示開始条件が成立すると、複数の図柄表示領域のそれぞれにおいて、複数種類の図柄が可変表示する演出表示装置（例えば液晶表示装置（LCD:Liquid Crystal Display）など）１８が配設されている。
【００２１】
本体枠１の前面側には、透光性を有する合成樹脂板やガラス板などを組み込んで前記遊技盤６を視認可能にして開閉可能に配設される開閉扉２と、該開閉扉２の前面側に一体に備えられる上皿３と、該開閉扉２の下方にて本体枠１の前面側に配設される下皿４およびハンドル５が備えられている。
上皿３の前面側には、後述する演出表示装置１８に変動表示される図柄の変動を、遊技者により停止操作可能な操作手段（図柄停止ボタン）２０が備えられている。
【００２２】
本実施例におけるハンドル５は、図１に示すように、遊技者側から見た状態で下皿４の左側（図１にて左側）に備えられており、ハンドル５の回動操作により内蔵されている図示しない遊技球発射機構（例えば発射ソレノイドなど）を操作し、遊技球を遊技盤６の遊技球転動領域Ａへ打ち出すものである。なお、ハンドル５は、遊技球を発射操作する場合に、遊技者側から見て時計方向に回転させる形態と、反時計方向に回転させる形態のいずれであってもよい。
このようにハンドル５を遊技機の左側に備えたことにより、この操作手段（図柄停止ボタン）２０の操作が右手で行え、ボタン操作がし易い。
また、特に左利きの遊技者にとってハンドル操作がし易くなる。
なお、ハンドル５は、遊技者側から見た状態で右側に備えられる形態であってもよく特に限定解釈されるものではない。
【００２３】
遊技盤ベース７は、例えば本実施例では、その遊技盤ベース７全体を透光性部材（透明部材）で形成して裏側が視認可能な透明な遊技盤ベース７とする。また、遊技盤ベース７は、透光性部材で形成した領域を少なくとも一部に有するもので、該透光性部材で形成した領域を介して裏側に配設される演出表示装置（液晶表示装置）１８が臨む。
【００２４】
遊技盤ベース７を形成する透光性部材は、例えば、遊技部材を固定でき、かつ、容易に変形しない（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂材、ポリアリレート樹脂材などが任意に選択される。また、樹脂以外の材質、例えばガラスなどを採用することも本発明の範囲内であり設計変更可能である。
遊技盤ベース７の全体を構成する透光性部材は無色透明とするが、有色透明部材を採用することも可能である。また仕様によっては遊技盤ベース７を無色透明部材と有色透明部材とで構成したり、遊技盤ベース７に色彩・模様を施したりすることも可能であり、前記演出表示装置（液晶表示装置）１８の表示に悪影響を及ぼさない範囲内で設計変更可能である。この場合、模様は無色透明の線図が好ましいが、遊技盤ベース７の裏面側に配設される演出表示装置（液晶表示装置）１８の構成によっては有色模様を施すことも可能である。
【００２５】
遊技部材は、本実施例では、例えば一般入賞口となる左右の一般入賞装置８、遊技状態表示器２１の特別図柄変動表示部（遊技状態表示部）１３の変動表示を起動すると共に、遊技状態を大当りとするか否かの抽選処理を起動する始動領域としての始動入賞装置９、その始動入賞装置９を拡開するためのチューリップ式の普通電動役物１０、大当り遊技時に開放するアタッカと称する特別電動役物を構成する大入賞装置１１、遊技状態表示器２１の普通図柄変動表示部１４を作動させるゲート１２、遊技球の流下に変化を与える図示しない多数の遊技釘などが遊技部材として遊技盤ベース７に備えられている。また、本実施例では、遊技盤ベース７に固定される基部２６ａから前方に向けて突出するように設け、遊技球転動領域Ａを転動流下する遊技球が当たり、遊技球の流下方向を転動案内する湾曲状の遊技球誘導板２６を遊技部材として備えている。すなわち、本実施例では、このような遊技球誘導板２６を配設して遊技球の転動流下する領域を図面上で向かって左側の遊技球転動領域Ａ１を通過するように制御している。従って、この構成により、その左側の遊技球転動領域Ａ１で略中央付近に備えた始動入賞装置９への遊技球の入賞率が向上する。
【００２６】
演出表示装置（液晶表示装置）１８は、本実施例では、所定の可変表示開始条件が成立、例えば始動入賞装置９に遊技球が入賞し、遊技状態表示器２１の遊技状態表示部１３の変動表示が開始することを開始条件として複数種類の装飾図柄１９ａ，１９ｂ，１９ｃが変動表示を開始するスロットマシンのリールの如く装飾図柄による演出表示領域を少なくとも有している。
ただし、本発明の範囲内でその他の演出画像、例えば遊技状態に対応したアニメーションやその他の報知情報などによる演出表示領域を備えることも可能である。
また、装飾図柄１９ａ，１９ｂ，１９ｃの表示領域の大小及び形状は特に限定されず本発明の範囲内で設計変更可能である。表示領域全体の大小及び形状も任意で、本実施例のように遊技盤６全体が透明な部材からなる場合には、遊技盤６全体の大きさに対応した大きい領域にわたる大きな表示領域とすることができる。
【００２７】
演出表示装置（液晶表示装置）１８に表示される装飾図柄は、例えば図１に示すように、スロット機のリールのように左右に３列（左列装飾図柄１９ａ、中列装飾図柄１９ｂ、右列装飾図柄１９ｃ）に並んで区別され、それぞれが上から下に向かって回転するように変動表示されているリール画像で、各装飾図柄１９ａ，１９ｂ，１９ｃの列毎に複数の装飾図柄が変動表示される。表示される装飾図柄１９ａ，１９ｂ，１９ｃは、特別図柄とは異なる図柄であって、上述の通り、特別図柄の変動開始に応じて変動が開始され、特別図柄の表示結果が導出されるまでの間に、後述する操作手段２０を遊技者が操作することによって停止表示がなされる。また、装飾図柄は、３つの図柄でなくてもよく、また変動表示の態様も上下方向に限られるものではなく、横方向あるいは前後方向などでもよい。
また、本実施例では、３つの列のそれぞれの停止表示が、それぞれ１つずつ表示される実施の形態であるが、一つの列に複数、例えば３つずつ停止表示される形態などであってもよい。
【００２８】
遊技状態表示器２１は、本実施例では、図２に示すように、図面に向かって大入賞装置１１の左隣りに視認可能に備えられ、前記始動入賞装置９への遊技球の入賞を契機に、大当り判定手段によって遊技者にとって有利な大当り遊技状態に移行させるか否かの抽選を行ない、その結果に基づいて、特別図柄の変動表示の後に表示結果を表示する特別図柄変動表示部（遊技状態表示部）１３と、その他、普通図柄変動表示部１４、特別図柄保留記憶数表示部１５、普通図柄保留記憶数表示部１６、ラウンド数表示部１７などで構成されている。本実施例では、取付部材３３の前面側に取り付けられ、その各表示部が遊技機前面側から視認可能に透光性を有する部材からなるカバー部材４０を遊技盤６の前方に配設している。
【００２９】
操作手段２０は、本実施例では、三列で変動表示する演出表示装置１８の各図柄列（左列装飾図柄１９ａ、中列装飾図柄１９ｂ、右列装飾図柄１９ｃ）に応じて三箇所のボタン（左図停止ボタン２０ａ，中図停止ボタン２０ｂ，右図停止ボタン２０ｃ）が、図１に示すように、上述した上皿３の前面に横並びで備えられている。
この操作手段２０の配設個所、配設個数若しくは形状などは特に限定されるものではなく本発明の範囲内で設計変更可能である。
この操作手段２０は、例えば図示しない遊技制御手段（副制御基板）に電気的に接続されている。そして、左図停止ボタン２０ａが押下されると左図停止信号が、中図停止ボタン２０ｂが押下されると中図停止信号が、右図停止ボタン２０ｃが押下されると右図停止信号がそれぞれ遊技制御手段に入力されるようになっている。すなわち、それぞれの停止信号は、それぞれが対応する図柄を停止表示させるための信号であり、これら信号を受信した遊技制御手段により、演出表示装置（液晶表示装置）１８に変動表示中の対応図柄列の図柄を停止表示させるための制御が行われる。つまり、左図停止ボタン２０ａ、中図停止ボタン２０ｂ、右図停止ボタン２０ｃは、変動表示される各装飾図柄１９（左列装飾図柄１９ａ、中列装飾図柄１９ｂ、右列装飾図柄１９ｃ）を停止させる機能を有している。
【００３０】
本実施例では、図示しないが、本体枠１内で演出表示装置１８の背面には、遊技の進行を制御する主制御基板（主制御回路）や、該主制御基板（主制御回路）からの信号に従って各演出装置（液晶表示装置１８，スピーカなど）を制御する副制御基板（副制御回路）などの制御装置を配した基板ベースが装着されている。
本実施例では、前記開閉扉２が配設される本体枠１の前面側上部に、該本体枠１上部に備えられる左右のスピーカを覆うように任意形状のカバー部材２５が配設されている。
【００３１】
本発明は、大入賞装置１１の大入賞扉１１０の開閉作動を遊技者に察知され難い構造を備えることで特定確変当たりに当選したことをわかり難くすることを目的としているもので、本実施例では、そのための一技術的手段として、前記透光性部材からなる遊技盤ベース７とともに、大入賞装置１１を構成している各構成部材を透光性部材で形成しているものである。以下、目的達成のための具体的な一形態を説明する。
【００３２】
大入賞装置１１は、遊技球を受け入れ易い開状態と遊技球を受け入れ難い閉状態に可変可能な大入賞扉１１０と、その大入賞扉１１０の周辺領域を覆うカバー部材（台板）１１２と、該カバー部材１１２の前面に、遊技機前方に向けて突出するように取り付けられる大入賞口飾り１１１と、前記カバー部材１１２の背面に、遊技機後方に向けて突出するように取り付けられて遊技盤ベース７の裏側領域（後方領域）に備えられ、大入賞扉１１０の開状態時に入賞した遊技球を誘導するとともに大入賞扉１１０を駆動する駆動機構（大入賞口ソレノイド１１７、スライダ１１８、図示しないプランジャ及びアクチュエータなど）を収納する後方部材（リアボックス）１１３とで構成されている。
【００３３】
そして本実施例では、これら大入賞扉１１０、大入賞口飾り１１１、カバー部材１１２及びリアボックス１１３の全てが透光性を有する部材（透明部材）で形成されている。
大入賞装置１１を構成する透光性部材は、前記遊技盤ベース７を構成している透光性部材が採用可能であるがこれに限定されるものではなく本発明の範囲内で設計変更可能である。なお、少なくとも前記大入賞扉１１０とカバー部材１１２を透明部材で形成しているものであれば本発明の範囲内であり、遊技機構成によって適宜他の大入賞装置構成部材を透光性部材で形成することが可能である。
【００３４】
大入賞扉１１０は、本実施例によれば大入賞口１１ａを閉蓋可能平板状に形成されており、駆動機構を構成している図示しないアクチュエータに連結されており、大入賞口ソレノイド１１７が通電し、図示しないプランジャ及びスライダ１１８が引き付けられ、アクチュエータが回転することで開閉可能に構成されている。なお、大入賞扉１１０の開閉構造は従来周知の構造が採用されている。
【００３５】
大入賞口飾り１１１は、本実施例によれば、大入賞扉１１０の開閉領域Ｒ１を中央に設けてカバー部材１１２の前面に、遊技機の前方に向けて突出するように一体に取り付け固定されており、前記中央の開閉領域Ｒ１を挟んで左右両側に、流下してきた遊技球を遊技盤６の左右方向へと遊技球の転動方向を変化させる流下方向変更面部１１１ａ，１１１ａを一体に突設して構成されている。
【００３６】
カバー部材１１２は、本実施例によれば、大入賞扉１１０の周辺領域を覆う所定形状の平板部材であって、遊技盤ベース７の所定位置にネジ止め固定される。
【００３７】
リアボックス１１３は、本実施例によれば、前面を開口したボックス形状で、カバー部材１１２の背面側に、その開口をカバー部材１１２の開口と合わせて一体に固定され、大入賞装置１１に入賞した遊技球を所定方向へと誘導する誘導部材（シーソ１１４、カウントスイッチ１１５、図示しない球経路）を内装し、前記誘導部材の後方には、駆動機構を取付け可能な取付部材１１６を一体に備えている。
【００３８】
取付部材１１６は、大入賞口ソレノイド１１７などの駆動機構を収納可能な収納部１１９を一端側に備えた平板状に形成し、その後方（背面）には発光装置、例えばＬＥＤ（Light Emitting Diode）基板（発光ダイオード）１２０を一体に備えている。
前記取付部材１１６の少なくとも一部には、前記発光装置１２０からの光を拡散可能な拡散構造１２１が施されている。なお、発光装置１２０はＬＥＤ基板に限定されるものではなく本発明の範囲内で設計変更可能である。
【００３９】
拡散構造１２１は、本実施例では、発光装置１２０からの光を拡散可能に形成されている凹凸加工部が採用されており、この凹凸加工部（拡散構造１２１）は、大入賞扉１１０が開状態になった際の開領域と対応する後方部材１１３の所定位置（所定領域）に施されており、後方部材１１３に施される拡散構造１２１が大入賞扉１１０の開領域と一致している。
本実施例の凹凸加工部（拡散構造１２１）は、図７に示すような多数のダイヤカット面１２１ａを前記所定位置に施すことにより形成している。ダイヤカット面１２１ａのカット形態は、特に本図示形態に限定はされないが、発光装置１２０からの光を多方向へと拡散可能なカット形態を採用する方が装飾効果を高めることができるため、大入賞装置１１の開放は遊技者に察知され難くなる。
【００４０】
本実施例では、さらに図２乃至図４に示すように、遊技盤高さ方向で大入賞装置１１の直上位置に、後方装飾部材１２２を備えている。後方装飾部材１２２は、遊技盤ベース７の背面に取付固定されている。
この後方装飾部材１２２は、大入賞装置１１と略同じ幅で遊技盤ベース７や大入賞装置１１などを構成する透光性部材をもって形成され、その前面領域１２２ａの全域にダイヤカット面１２１ａを施している。また、上面領域１２２ｂの全域には、遊技盤の左右方向に向けて並設する凹凸面１２２ｃが施されている。
このように、大入賞装置１１の直上位置に装飾効果の高い後方装飾部材１２２を備えているため、さらに大入賞装置１１周辺の装飾効果が高まる。本実施例では、図示していないが、この後方装飾部材１２２の背面側に、裏側から光を当ててさらなる装飾効果を発揮させるため、所定の発光装置（例えばＬＥＤ基板）などを備えることも可能である。
【００４１】
なお、本実施例では、取付部材１１６の所定領域にダイヤカット面１２１ａを多数施した実施の一形態であるが、これに限定されず、このような拡散構造としてのダイヤカット面１２１ａは、取付部材１１６の所定領域のみでなく、取付部材１１６のその他の領域、あるいはリアボックス１１３やカバー部材１１２、大入賞口飾り１１１の全ての面あるいはその他の構成部材（シーソ１１４など）の全ての面若しくは一部の面にダイヤカット面１２１ａを施す形態とすることも可能で装飾効果を高める構成が好ましい。また、ダイヤカット面１２１ａは、所定領域毎にその大きさ、カット形状を異にする構成を採用しても装飾効果が向上する。
また、発光装置（ＬＥＤ基板）１２０から発せられる光の種類を様々な発色に調整したり、光の強さを強弱調整したりして装飾効果を高めることも本発明の範囲内である。
【００４２】
本実施例によれば、遊技盤ベース７とともに大入賞装置１１を透光性部材で形成したため、大入賞扉１１０及びその周辺領域全域が透明に形成され、大入賞扉１１０の遊技機前後方向の色彩が変化しないこととなり、大入賞扉１１０の開閉状態の動きが遊技者に察知され難い。従って、特定確変当たり（突然確変）に当選しても、そのことが大入賞装置１１の大入賞扉１１０の開放が察知され難くなり、いわゆる「当たりの引き損」のような感を遊技者に与えることが少なくなる。
【００４３】
また、本実施例によれば、ＬＥＤ基板などの発光装置１２０から発せられる光により、透明部材で形成された大入賞装置１１の全体が滲んで見えるようになるとともに、リアボックス１１３には発光装置１２０からの光を拡散させることの可能な拡散構造１２１（ダイヤカット面１２１ａ）を備えたため、発光装置１２０から発せられる光が拡散構造１２１（ダイヤカット面１２１ａ）により拡散されて装飾効果が高まるため、さらに大入賞装置１１の大入賞扉１１０の開放は遊技者に察知され難くなる。
さらに、本実施例のように、リアボックス１１３の背面側に発光装置１２０を備えていることで、発光装置１２０から遊技盤前方に設けられた大入賞扉１１０、カバー部材１１２までの距離が長くなるため、より一層、発光装置１２０からの光が拡散して装飾効果が高まり、大入賞扉１１０の開放が遊技者に察知され難くなる。
【図面の簡単な説明】
【００４４】
【図１】本発明遊技機の一実施例を示す概略斜視図である。
【図２】種々の遊技部材を備えた遊技盤の概略正面図である。
【図３】遊技盤の概略斜視図である。
【図４】遊技盤の概略背面図である。
【図５】（ａ）は大入賞装置の概略正面図、（ｂ）は概略背面図である。
【図６】（ａ）は大入賞装置の概略斜視図、（ｂ）は概略平面図である。
【図７】（ａ）は正面方向から見た概略分解斜視図、（ｂ）は背面方向から見た概略分解斜視図である。
【図８】取付部材の概略背面図である。
【符号の説明】
【００４５】
７  遊技盤ベース
１１  大入賞装置
１１０  大入賞扉
１１２  カバー部材
１１３  後方部材（リアボックス）
１２０  発光部材
１２１  拡散構造（凹凸加工部）
【図１】
2008183068.tif 000003
【図２】
2008183068.tif 000004
【図３】
2008183068.tif 000005
【図４】
2008183068.tif 000006
【図５】
2008183068.tif 000007
【図６】
2008183068.tif 000008
【図７】
2008183068.tif 000009
【図８】
2008183068.tif 000010